(57)【要約】【課題】各種の鞄の角部に非常に取り付け易いものとすると共に、取り付けたときには外れ難いものとし、さらに外れた場合にも再び取り付け易く、また新しいものに取り替えるのも容易に行なうことができる鞄用保護材を提供する。【解決手段】衝撃吸収体１に嵌合溝２を形成し、この嵌合溝２に鞄Ｂの角部ｅを嵌合した後、前記衝撃吸収体１をその鞄Ｂの角部ｅにリベットＲで止着可能としたものとしている。【選択図】図１
2010220958.tif 000002
【特許請求の範囲】
【請求項１】
衝撃吸収体（１）に嵌合溝（２）を形成し、この嵌合溝（２）に鞄（Ｂ）の角部（ｅ）を嵌合した後、前記衝撃吸収体（１）をその鞄（Ｂ）の角部（ｅ）にリベット（Ｒ）で止着可能としたことを特徴とする鞄用保護材。
【請求項２】
衝撃吸収体（１）に嵌合溝（２）を形成し、この嵌合溝（２）に鞄（Ｂ）の角部（ｅ）を嵌合した後、前記衝撃吸収体（１）を鞄（Ｂ）の角部（ｅ）に、その鞄（Ｂ）の縫着糸（Ｔ）と交わらないようにリベット（Ｒ）で止着可能としたことを特徴とする鞄用保護材。
【請求項３】
前記衝撃吸収体（１）の平面形状を略Ｌ字形にし、前記嵌合溝（２）の断面形状を略Ｕ字形にし、鞄（Ｂ）の下部縁の角部（ｅ）のみに嵌合するようにしたことを特徴とする請求項１または２記載の鞄用保護材。
【請求項４】
前記衝撃吸収体（１）の平面形状を略コ字形にし、前記嵌合溝（２）の断面形状を略Ｕ字形にし、鞄（Ｂ）の背部（１）の下辺全域と下部縁の角部（ｅ）に嵌合するようにしたことを特徴とする請求項１または２記載の鞄用保護材。
【請求項５】
前記衝撃吸収体（１）を弾性ゴム成形体からなるものとしたことを特徴とする請求項１または２記載の鞄用保護材。
【請求項６】
前記衝撃吸収体（１）を高弾性樹脂成形体からなるものとしたことを特徴とする請求項１または２記載の鞄用保護材。
【発明の詳細な説明】
【技術分野】
【０００１】
この発明は、ランドセルやリュックサック等の背負い鞄、学生鞄やビジネスバッグ等のショルダーバッグ、その他各種の鞄に用いられる鞄用保護材に関するものである。
【背景技術】
【０００２】
従来、この種の鞄用保護材は、図７、８に示したように、衝撃吸収体１１に嵌合溝１２を形成し、この嵌合溝１２に鞄Ｂの角部ｅを嵌合した後、前記衝撃吸収体１１をその鞄Ｂの角部ｅに縫着可能としたものとしている（特許文献１）。
【０００３】
図７に示したものは、前記衝撃吸収体１１は、平面形状を略Ｌ字形にし、前記嵌合溝１２の断面形状を略Ｕ字形にして、鞄Ｂの背部１３の下部縁の角部ｅのみに嵌合して縫着されるものとしている。
【０００４】
図８に示したものは、前記衝撃吸収体１１は、平面形状を略コ字形にし、前記嵌合溝１２の断面形状を略Ｕ字形にして、鞄Ｂの背部１３の下辺全域と下部縁の角部ｅに嵌合して縫着されるものとしている。
【先行技術文献】
【特許文献】
【０００５】
【特許文献１】実用新案登録第３１３７７６４号公報
【発明の概要】
【発明が解決しようとする課題】
【０００６】
しかしながら、従来の鞄用保護材は、鞄Ｂに取り付ける場合、背部１３の両側辺部と、左右襠部１４の後辺部のそれぞれを重ね合わせて縫着すると共に、背部１３の下辺部と底襠部１５の後辺部を重ね合わせて縫着して、これらを連結しようとするときに、図７に示したように、背部１３の下部縁の角部ｅに、または図８に示したように、背部１３の下辺全域と下部縁の角部ｅに、その嵌合溝１２を嵌合させ、これらを一纏めにして同時に縫着するものとしている。そのため、これらの縫着部分は非常に分厚くなり、普通の工業ミシンでは針が通り難かったり、針が折れ易かったりして、縫着作業に手間取ることが多く、縫着作業の効率が非常に悪くなるという問題点を有していた。
【０００７】
また、従来の鞄用保護材では、衝撃力を受けた場合に、その衝撃力は衝撃吸収体１１によって吸収されるが、その衝撃吸収体１１の縫着部分は、衝撃力が作用したり、物に当たったり、擦れたりするので、長年の使用においては、その縫着している糸が切れてしまい、角部ｅから外れてしまうことがあるという問題点を有していた。
【０００８】
さらに、従来の鞄用保護材では、角部ｅから外れてしまうと、この角部ｅに縫着しなおしたり、新しいものに取り替える場合には、背部１１や襠部１３には元の縫着糸が残っており、この縫着糸に重ね縫いをするのに、さらに工業ミシンの針が通り難くなったり、針が折れ易くなったりして、縫着作業が非常に困難になるという問題点を有していた。
【０００９】
そこで、この発明は、上記従来の問題点を解決するものであり、各種の鞄の角部に非常に取り付け易いものとすると共に、取り付けたときには外れ難いものとし、さらに外れた場合にも再び取り付け易く、また新しいものに取り替えるのも容易に行なうことができる鞄用保護材を提供することを目的としてなされたものである。
【課題を解決するための手段】
【００１０】
この発明の鞄用保護材は、衝撃吸収体１に嵌合溝２を形成し、この嵌合溝２に鞄Ｂの角部ｅを嵌合した後、前記衝撃吸収体１をその鞄Ｂの角部ｅにリベットＲで止着可能としたものとしている。
【００１１】
そして、この発明の鞄用保護材は、衝撃吸収体１に嵌合溝２を形成し、この嵌合溝２に鞄Ｂの角部ｅを嵌合した後、前記衝撃吸収体１を鞄Ｂの角部ｅに、その鞄Ｂの縫着糸Ｔと交わらないようにリベットＲで止着可能としたものとしている。
【００１２】
また、この発明の鞄用保護材は、前記衝撃吸収体１の平面形状を略Ｌ字形にし、前記嵌合溝２の断面形状を略Ｕ字形にし、鞄Ｂの下部縁の角部ｅのみに嵌合するようにしたものとしている。
【００１３】
さらに、この発明の鞄用保護材は、前記衝撃吸収体１の平面形状を略コ字形にし、前記嵌合溝２の断面形状を略Ｕ字形にし、鞄Ｂの背部１の下辺全域と下部縁の角部ｅに嵌合するようにしたものとしている。
【００１４】
また、この発明の鞄用保護材は、前記衝撃吸収体１を弾性ゴム成形体や高弾性樹脂成形体からなるものとしている。
【発明の効果】
【００１５】
この発明の鞄用保護材は、以上に述べたように構成されているので、各種の鞄の角部に非常に取り付け易いものとなり、この取り付け作業に手間取ることなく、この取り付け作業を効率良く行なえるものとなり、各種の鞄に好適に用いられるものとなる。
【００１６】
さらに、この発明の鞄用保護材は、取り付けたときには外れ難いものとなり、さらに外れた場合にも再び取り付け易く、また新しいものに取り替えるのも容易に行なうことができるものとなり、この取り付け作業や取り替え作業に手間取ることなく、これらの作業を効率良く行なえるものとなり、各種の鞄に好適に用いられるものとなる。
【図面の簡単な説明】
【００１７】
【図１】この発明の鞄用保護材の一実施形態を示しており、鞄の角部に取り付ける前の状態の斜視図である。
【図２】図１中のＡ−Ａ線によるこの発明の鞄用保護材の断面図である。
【図３】図１に示すこの発明の鞄用保護材を鞄の角部に取り付けた状態を示す斜視図である。
【図４】この発明の鞄用保護材の他の実施形態を示しており、鞄の角部に取り付ける前の状態の斜視図である。
【図５】図４中のＢ−Ｂ線によるこの発明の鞄用保護材の断面図である。
【図６】図４に示すこの発明の鞄用保護材を鞄の角部に取り付けた状態を示す斜視図である。
【図７】従来の鞄用保護材の一例を示しており、鞄の角部に取り付ける前の状態の斜視図である。
【図８】従来の鞄用保護材の他の例を示しており、鞄の角部に取り付ける前の状態の斜視図である。
【発明を実施するための形態】
【００１８】
以下、この発明の鞄用保護材を実施するための形態を、図面に基づいて詳細に説明する。
【００１９】
この発明の鞄用保護材は、衝撃吸収体１に嵌合溝２を形成し、この嵌合溝２に鞄Ｂの角部ｅを嵌合した後、前記衝撃吸収体１をその鞄Ｂの角部ｅにリベットＲで止着可能としたものとしている。図示したこの発明の鞄用保護材は、ランドセルの背部３の下部周縁の角部ｅにリベットＲで止着可能としたものとしているが、各種の鞄Ｂにおける角部ｅであればどのような個所であってもよい。
【００２０】
前記衝撃吸収体１は、平面形状を略Ｌ字形にし、嵌合溝２の断面形状を略Ｕ字形にしている。このようにした衝撃吸収体１は、図３に示したように、ランドセルの背部３の下部縁の角部ｅのみに嵌合して、リベットＲで止着されるものとしている。なお、前記衝撃吸収体１には、図示したように、リベットＲの位置決めをし易いように、あらかじめ通孔ｈを設けたものとしているが、この通孔ｈは設けていないものとしてもよい。また、前記背部３の下部縁の角部ｅにも、図示していないが、リベットＲの通孔ｈを設けたものとすることができる。
【００２１】
さらに、前記衝撃吸収体１は、平面形状を略コ字形にし、嵌合溝２の断面形状を略Ｕ字形にすることもできる。このようにした衝撃吸収体１は、図６に示したように、ランドセルの背部３の下辺全域と下部縁の角部ｅに嵌合して、リベットＲで止着されるものとしている。なお、前記衝撃吸収体１には、図示したように、リベットＲの位置決めをし易いように、あらかじめ通孔ｈを設けたものとしているが、この通孔ｈは設けていないものとしてもよい。また、前記背部３の下辺全域と下部縁の角部ｅにも、図示していないが、リベットＲの通孔ｈを設けたものとすることができる。
【００２２】
前記衝撃吸収体１は、弾性ゴム成形体や高弾性樹脂成形体からなるものとしており、鞄Ｂを落としたり、鞄Ｂに物が当たったりした場合に、角部ｅが変形しないようにすると共に、角部ｅが衝撃を吸収することにより、鞄Ｂの収納物を傷つけたりしないようにしている。なお、前記衝撃吸収体１は、弾性ゴム成形体や高弾性樹脂成形体からなるものとしているので、一体成形することによって、任意の形状、大きさの嵌合溝２が形成し易いものとなる。
【００２３】
この発明の鞄用保護材は、例えばランドセルを製造する場合、背部３の両側辺部と、左右襠部４の後辺部のそれぞれを重ね合わせて縫着糸Ｔで縫着すると共に、背部３の下辺部と底襠部５の後辺部を重ね合わせて縫着糸Ｔで縫着し、図３に示したように、背部３の下部縁の角部ｅに、または図６に示したように、背部３の下辺全域と下部縁の角部ｅに、その嵌合溝２を嵌合させ、リベットＲで止着するものとしている。この発明の鞄用保護材を前記背部３の角部ｅにリベットＲで止着する場合、前記縫着糸Ｔと交わらないようにするのが好ましい。このようにすると、前記リベットＲによって縫着糸Ｔが切断されることがないので、背部３の両側辺部と左右襠部４の後辺部、および背部３の下辺部と底襠部５の後辺部の縫着糸Ｔによる縫着が弱められることがないものとなる。さらに、前記角部ｅにおいては、リベットＲの頭部が露出しているだけで、縫着糸Ｔは露出していないので、この縫着糸Ｔが物に当たったり、擦れたりして、切れてしまうようなことはない。なお、前記角部ｅにおいて、リベットＲの頭部が露出していても、このリベットＲの頭部は、縫着糸Ｔに比べれば丈夫であるため、物に当たったり、擦れたりしても、損傷しにくいものとなっている。
【００２４】
なお、図示したものは、背部３の両側辺部と、左右襠部４の後辺部のそれぞれを重ね合わせて縫着糸Ｔで縫着すると共に、背部３の下辺部と底襠部５の後辺部を重ね合わせて縫着糸Ｔで縫着するときに、縁生地６を介在させたものとして体裁良くしているが、鞄Ｂの種類等によってはこの縁生地６は介在させなくてもよい。
【００２５】
このようにすることにより、この発明の鞄用保護材は、ランドセルの背部３の下部縁の角部ｅに嵌合したときに、この状態で位置決めされ移動しないので、前記したようにリベットＲで止着する場合にその作業が簡単なものとなる。
【００２６】
したがって、この発明の鞄用保護材は、各種の鞄Ｂの角部ｅに非常に取り付け易いものとなり、この取り付け作業に手間取ることなく、この取り付け作業を効率良く行なえるものとなり、各種の鞄Ｂに好適に用いられる。
【００２７】
さらに、この発明の鞄用保護材は、取り付けたときには外れ難いものとなり、さらに外れた場合にも再び取り付け易く、また新しいものに取り替えるのも容易に行なうことができるものとなり、この取り付け作業や取り替え作業に手間取ることなく、これらの作業を効率良く行なえるものとなり、各種の鞄Ｂに好適に用いられる。
【符号の説明】
【００２８】
１  衝撃吸収体
２  嵌合溝
Ｂ  鞄
ｅ  角部
Ｒ  リベット
Ｔ  縫着糸
【図１】
2010220958.tif 000003
【図２】
2010220958.tif 000004
【図３】
2010220958.tif 000005
【図４】
2010220958.tif 000006
【図５】
2010220958.tif 000007
【図６】
2010220958.tif 000008
【図７】
2010220958.tif 000009
【図８】
2010220958.tif 000010